【手続補正書】
【提出日】平成22年4月15日(2010.4.15)
【手続補正１】
【補正対象書類名】特許請求の範囲
【補正対象項目名】全文
【補正方法】変更
【補正の内容】
【特許請求の範囲】
【請求項１】
内腔の光殺菌用装置であって、基部と、前記内腔に挿入するように適合された挿入部と、前記装置に光を伝達するための光源に接続された導波路と連通するように適合されたポケットとを有する部材を有し、
（ｉ）前記ポケットは、前記導波路の先端部との光連通に適合された光分散部を有し、
（ｉｉ）前記光分散部は、前記導波路の前記先端部から出る前記光を方向転換し、これにより、前記部材の処置部位における光出力量が上昇し、前記内腔の光殺菌のための所望の照射パターンが得られ、
（ｉｉｉ）前記部材は、相当量の散乱なしに前記光を伝達する特性を有する透過材料で形成されている装置。
【請求項２】
前記透過材料は、プラスチック、エポキシ、ガラスおよびこれらの組み合わせからなる群から選択される請求項１に記載の装置。
【請求項３】
前記透過材料はポリカーボネートから形成される請求項１に記載の装置。
【請求項４】
前記透過材料はポリ（メタクリル酸メチル）から形成される請求項１に記載の装置。
【請求項５】
前記挿入部は、前記内腔への前記装置の挿入中に前記内腔内の組織を損傷するおそれのある鋭利な角または鋭角を有さない請求項１乃至４のいずれか１項に記載の装置。
【請求項６】
前記部材の前記表面仕上げは、平滑仕上げ、リブ、フレネル素子、屈折素子、切り子面、エンボスパターン、およびこれらの組み合わせからなる群から選択される請求項１乃至５のいずれか１項に記載の装置。
【請求項７】
前記光分散部の前記表面仕上げは、平滑仕上げ、リブ、フレネル素子、屈折素子、切り子面、エンボスパターン、およびこれらの組み合わせからなる群から選択される請求項１乃至６のいずれか１項に記載の装置。
【請求項８】
前記光分散部の前記幾何学構造は、平坦、凹円錐形、凸円錐形、頂点円錐を有する半球、およびこれらの組み合わせからなる群から選択される請求項１乃至７のいずれか１項に記載の装置。
【請求項９】
前記内腔は、耳腔、鼻腔、膣、肺、咽頭、食道、胃、腸、直腸、胆嚢、膀胱、開放創、および無生物の内腔からなる群から選択される請求項１乃至８のいずれか１項に記載の装置。
【請求項１０】
前記挿入部は前記鼻腔への挿入に適合されており、前記基部の半径は前記挿入部の半径より大きく、前記部材の前記表面仕上げはリブを有し、前記リブはそれぞれ約１７°のくさび角を有し、リブ幅は約０．４８ｍｍから約０．５ｍｍの範囲にあり、前記光分散部の前記幾何学構造は頂点円錐を有する半球である請求項１乃至９のいずれか１項に記載の装置。
【請求項１１】
前記挿入部は前記鼻腔への挿入に適合されており、前記基部の半径は前記挿入部の半径より大きく、前記部材の前記表面仕上げは平滑であり、前記光分散部の前記幾何学構造は、約６０°の半角を有する凹円錐である請求項１乃至９のいずれか１項に記載の装置。
【請求項１２】
気密キャップを更に有する請求項１乃至１１のいずれか１項に記載の装置。
【請求項１３】
前記部材は、感光性組成物の流体送達のために構成された少なくとも１つの管状部材を更に有する請求項１乃至１２のいずれか１項に記載の装置。
【請求項１４】
前記感光性組成物の前記内腔内の処置部位への送達のための、前記少なくとも１つの管状部材の開口孔に取り付けられた噴霧ノズルを更に有する請求項１３に記載の装置。
【請求項１５】
前記開口孔は、前記内腔の光殺菌に使用する前は、着脱自在の先端によってシールされている請求項１４に記載の装置。
【請求項１６】
前記少なくとも１つの管状部材は、複数の開口孔が前記内腔内の処置部位に前記感光性組成物を送達できるようにする複数の分岐を有する請求項１３または１４に記載の装置。
【請求項１７】
前記部材と同じ構造部材を有する第２の部材を更に有する請求項１乃至１６のいずれか１項に記載の装置。
【請求項１８】
配光マニホルドが、前記導波路から前記部材および前記第２の部材に前記光を送る請求項１７に記載の装置。
【請求項１９】
前記部材および前記第２の部材は、それぞれ感光性組成物の流体送達のために構成された少なくとも１つの管状部材を更に有する請求項１７に記載の装置。
【請求項２０】
配光マニホルドが、前記導波路から前記部材および前記第２の部材に前記光を送り、流体分配マニホルドが、前記部材および前記第２の部材に前記感光性組成物を送る請求項１９に記載の装置。
【請求項２１】
前記装置は保持機構を更に有する請求項１乃至２０のいずれか１項に記載の装置。
【請求項２２】
前記装置は生体適合材料から形成される請求項１乃至２１のいずれか１項に記載の装置。
【請求項２３】
内腔の光殺菌用処置システムであって、
（ａ）装置であって、基部と、前記内腔に挿入するように適合された挿入部と、前記装置に光を伝達するための光源に接続された導波路と連通するように適合されたポケットとを有する部材を有する装置と、
（ｉ）前記ポケットは、前記導波路の先端部との光連通に適合された光分散部を有し、
（ｉｉ）前記光分散部は、前記導波路の前記先端部から出る前記光を方向転換し、これにより、前記部材の処置部位における光出力量が上昇し、前記内腔の光殺菌のための所望の照射パターンが得られ、
（ｉｉｉ）前記部材は、相当量の散乱なしに前記光を伝達する特性を有する透過材料で形成されており、
（ｂ）前記導波路と、
（ｃ）前記光源とを有する処置システム。
【請求項２４】
前記導波路は、プラスチックファイバ、プラスチッククラッドグラスファイバ、グラスファイバ、複数のプラスチックファイバ、複数のプラスチッククラッドファイバ、複数のグラスファイバ、およびこれらの組み合わせからなる群から選択される請求項２３に記載の処置システム。
【請求項２５】
前記導波路は、接着剤、機械的変形、物理的握持機構、フェルール、摩擦、ねじ山、「ツイスト−ロック」バイオネット、およびこれらの組み合わせからなる群から選択される取り付け手段によって前記装置に取り付けられる請求項２３または２４に記載の処置システム。
【請求項２６】
前記導波路の前記先端部はフェルール内に収容されており、前記導波路は前記フェルールを介して前記ポケットに着脱自在に取り付けられる請求項２３乃至２５のいずれか１項に記載の処置システム。
【請求項２７】
前記導波路の前記先端部は粗表面仕上げを有する請求項２３乃至２６のいずれか１項に記載の処置システム。
【請求項２８】
前記導波路の前記先端部は平滑表面仕上げを有する請求項２３乃至２６のいずれか１項に記載の処置システム。
【請求項２９】
前記導波路の前記先端部は、平坦、凹円錐形、凸円錐形、頂点円錐を有する半球、およびこれらの組み合わせからなる群から選択される幾何学構造を有する請求項２３乃至２８のいずれか１項に記載の処置システム。
【請求項３０】
前記導波路はコネクタを介して前記光源に接続される請求項２３乃至２９のいずれか１項に記載の処置システム。
【請求項３１】
前記コネクタは、前記光源に接続する光源アダプタ、および前記導波路に着脱自在に取り付けられるように設計された導波路アダプタを有する請求項３０に記載の処置システム。
【請求項３２】
前記光源は、レーザ、発光ダイオード、アーク灯、白熱源、蛍光源、ガス放電管、熱源、光増幅器、およびこれらの組み合わせからなる群から選択される請求項２３乃至３１のいずれか１項に記載の処置システム。
【請求項３３】
前記光源は、波長、パワー出力、照射のサイズ、およびこれらの組み合わせからなる群から選択される状態を提供するために調整できる請求項２３乃至３２のいずれか１項に記載の処置システム。
【請求項３４】
前記光源は温度監視装置を更に有する請求項２３乃至３３のいずれか１項に記載の処置システム。
【請求項３５】
前記温度監視装置は、赤外線装置、光ファイバ装置、熱電対、およびこれらの組み合わせからなる群から選択される請求項３４に記載の処置システム。
【請求項３６】
前記導波路はホルダ内に収容されている請求項２３乃至３５のいずれか１項に記載の処置システム。
【請求項３７】
前記ホルダは、前記導波路と前記光源間の光連通のための連通孔、および前記装置への前記光の入力を制御するためのスイッチを更に有する請求項３６に記載の処置システム。
【請求項３８】
前記部材は、感光性組成物の流体送達のために構成された少なくとも１つの管状部材を更に有する請求項２３乃至３７のいずれか１項に記載の処置システム。
【請求項３９】
前記導波路はホルダ内に収容されており、前記ホルダは、前記導波路と前記光源間の光連通のための連通孔、前記装置への前記光の入力を制御するためのスイッチ、および前記少なくとも１つの管状部材との流体連通のための、感光性組成物を収容している流体源との流体連通に適合された流体連通手段を更に有する請求項３８に記載の処置システム。
【請求項４０】
前記部材と同じ構造部材を有する第２の部材を更に有する請求項２３乃至３９のいずれか１項に記載の処置システム。
【請求項４１】
流体源に収容された感光性組成物を更に有する請求項２３乃至４０のいずれか１項に記載の処置システム。